【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
短距離無線ネットワークにソフトウェア要素をダウンロードする方法であって、
短距離無線ネットワークにおいて機器（デバイス）から該機器のタイプ及び製造業者を含む情報を取得する処理であって、前記機器からセルラー機器へ前記機器情報を含む短距離無線信号を発生させ、且つ広域エリアネットワークにおいて前記セルラー機器から処理機器（処理デバイス）へ前記機器情報を含むセルラー信号を発生させることによって、前記情報を得る該処理と、
前記機器へのソフトウェア要素を、前記機器情報に対応する前記処理機器からダウンロードする処理と、を含む方法。
【請求項２】
前記ソフトウェア要素は、該ソフトウェア要素のタイプに対するユーザ嗜好に応じてダウンロードされることを特徴とする請求項１に記載の方法。
【請求項３】
前記ソフトウェア要素は、日付に応じてダウンロードされ、且つアプリケーションソフトウェア要素であることを特徴とする請求項１に記載の方法。
【請求項４】
前記ソフトウェア要素は、前記機器が購入された場所に応じてダウンロードされることを特徴とする請求項１に記載の方法。
【請求項５】
前記ソフトウェア要素は、ユーザの価格プランに応じてダウンロードされることを特徴とする請求項１に記載の方法。
【請求項６】
前記機器が、セルラー機器と通信するBluetoothTMデバイスであることを特徴とする請求項１に記載の方法。
【請求項７】
前記機器が、メッセージング端末(messaging terminal)であることを特徴とする請求項１に記載の方法。
【請求項８】
前記機器が、セルラー機器であることを特徴とする請求項１に記載の方法。
【請求項９】
前記ソフトウェア要素がインスタントメッセージング端末(instant messaging terminal)ソフトウェア要素であることを特徴とする請求項７に記載の方法。
【請求項１０】
前記機器が、短距離無線プロセッサ及び２.４ＧＨＺ送信機を備えていることを特徴とする請求項１に記載の方法。
【請求項１１】
前記機器が、短距離無線プロセッサ及び５.７ＧＨＺ送信機を備えていることを特徴とする請求項１に記載の方法。
【請求項１２】
前記機器は、デスクトップコンピュータ、ラップトップコンピュータ、携帯型情報端末（ＰＤＡ）、ヘッドホン、ページャー、プリンタ、時計、薄型端末、デジタルカメラ、及びそれらの均等物から構成されるグループより選択されることを特徴とする請求項１に記載の方法。
【請求項１３】
前記短距離無線ネットワークが、BluetoothTMネットワークであることを特徴とする請求項１に記載の方法。
【請求項１４】
短距離無線ネットワークにソフトウェア要素をダウンロードする方法であって、
短距離無線ネットワークにそれぞれ存在する機器からセルラー機器へ、前記機器の製造業者及び前記機器のタイプを含む機器情報を有する短距離無線信号を発生させる処理と、
広域エリアネットワークにおいて、前記セルラー機器から処理機器へ前記機器情報を含むセルラー信号を発生させる処理と、
前記機器情報及びユーザ情報に応じ、インターネットプロトコルデータパケットを用いて前記処理機器から前記機器にソフトウェア要素をダウンロードする処理と、を含む方法。
【請求項１５】
短距離無線ネットワークにソフトウェア要素をダウンロードするシステムであって、
機器の製造業者及び機器のタイプを含む機器情報を有する短距離無線信号を発生させるための機器と、
前記短距離無線信号に応じて、前記機器情報を含むセルラー信号を発生させるためのセルラー機器と、
複数のソフトウェア要素を含むデータベースを備えた処理機器であって、前記機器情報に応じて、前記セルラー機器へ前記複数のソフトウェア要素の第１のソフトウェア要素を提供する該処理機器と、を備えたシステム。
【請求項１６】
前記データベースが前記第１のソフトウェア要素のタイプに対するユーザ嗜好を含み、前記第１のソフトウェア要素が前記機器情報及び前記ユーザに応じてダウンロードされることを特徴とする請求項１５に記載のシステム。
【請求項１７】
前記第１のソフトウェア要素が、前記機器情報及び日付に応じてダウンロードされ、且つアプリケーションソフトウェア要素であることを特徴とする請求項１５に記載のシステム。
【請求項１８】
前記第１のソフトウェア要素が、前記機器情報及び前記機器の購入場所に応じてダウンロードされることを特徴とする請求項１５に記載のシステム。
【請求項１９】
前記第１のソフトウェア要素が、ユーザ価格プランに応じてダウンロードされることを特徴とする請求項１５に記載のシステム。
【請求項２０】
前記データベースがユーザ使用量計画を含み、且つ前記第１のソフトウェア要素が前記機器情報及び前記ユーザ使用量に応じてダウンロードされることを特徴とする請求項１５に記載のシステム。
【請求項２１】
前記機器が、BluetoothTM機器であることを特徴とする請求項１５に記載のシステム。
【請求項２２】
前記機器が、メッセージング端末(messaging terminal)であることを特徴とする請求項１５に記載のシステム。
【請求項２３】
前記第１のソフトウェア要素がインスタントメッセージング端末(instant messaging terminal)ソフトウェア要素であることを特徴とする請求項１５に記載のシステム。
【請求項２４】
前記機器が、短距離無線プロセッサ及び２.４ＧＨＺ送信機を備えていることを特徴とする請求項１５に記載のシステム。
【請求項２５】
前記機器が、短距離無線プロセッサ及び５.７ＧＨＺ送信機を備えていることを特徴とする請求項１５に記載のシステム。
【請求項２６】
前記機器は、デスクトップコンピュータ、ラップトップコンピュータ、携帯型情報端末（ＰＤＡ）、ヘッドホン、ページャー、プリンタ、時計、薄型端末、デジタルカメラ、及びそれらの均等物から構成されるグループより選択されることを特徴とする請求項１５に記載のシステム。
【請求項２７】
前記機器及びセルラー機器が、短距離無線ネットワーク内にあることを特徴とする請求項１５に記載のシステム。
【請求項２８】
前記処理機器が、セルラーネットワークを含む広域ネットワーク内にあることを特徴とする請求項１５に記載のシステム。
【請求項２９】
コンピュータ読み出し可能な媒体を含む製造物であって、
短距離無線ネットワーク内の機器から、機器タイプ情報を含む短距離無線信号を受信する短距離無線ソフトウェア要素と、
セルラーネットワークにおいて、前記機器タイプ情報及び機器製造業者情報を含むセルラー信号を発生させ、且つ前記機器タイプ情報及び前記機器製造業者情報に応じて、前記機器用のソフトウェア要素を受信するセルラーソフトウェア要素と、を含む製造物。
【請求項３０】
短距離無線ネットワークにソフトウェア要素をダウンロードする方法であって、
短距離無線ネットワークにおいて機器のタイプ情報及び機器の製造業者情報を取得する処理であって、前記機器のタイプ情報及び機器の製造業者情報を含む短距離無線信号を前記機器からセルラー機器へ発生させることを含む該処理と、
ソフトウェア要素のタイプに対するユーザ嗜好を取得する処理と、
短距離無線ネットワーク内のセルラー機器から、広域エリアネットワーク内の処理機器へ、前記機器のタイプ情報及び前記機器の製造業者情報を含むセルラー信号を発生させる処理と、
前記機器タイプ情報、前記機器の製造業者情報、及び前記ユーザ嗜好に応じて、前記処理機器から前記セルラー機器にソフトウェア要素をダウンロードする処理と、を含む方法。
【手続補正２】
【補正対象書類名】明細書
【補正対象項目名】全文
【補正方法】変更
【補正の内容】
【発明の詳細な説明】
【発明の名称】ソフトウェア要素を短距離無線ネットワーク内にある機器へダウンロードする方法、システム、及びコンピュータ読み出し可能な媒体
【技術分野】
【０００１】
本発明は、ネットワーク全般に関する。
【０００２】
（関連出願）
本出願は、２００１年12月１８日に出願された、代理人番号NO.IXIM-01003US0の「近隣の無線ネットワークからの情報に応答してビジネス決定を行う方法、システム、及びコンピュータ読み出し可能な媒体」という表題の米国出願No.10/023,525の一部継続であり、引用によってここに組み入れられている。
【背景技術】
【０００３】
無線電話などの無線通信機器（無線通信デバイス）は、典型的にはＷＡＮ又は通信ネットワークのノードである。また、無線電話は近隣の無線ネットワークの一部になることが可能で、ラップトップ、プリンタ、携帯型情報端末（ＰＤＡ）及び／又はヘッドホンなどのユーザの他の機器と通信する。例えば、ブルートゥース（BlueTooth）TM技術（www.BlueTooth.com）は、短距離無線ネットワークにある機器間の無線通信を提供する。
【０００４】
ユーザが短距離無線ネットワーク用に機器を購入するとき、ユーザの短距離無線ネットワークで正常に動作し、そして意図した機能を発揮することができるようにするため、その機器及び／又は短距離無線ネットワークに対してソフトウェアを追加することが必要になるかもしれない。その機器のユーザは、ソフトウェアをローディングして機能性を拡張することを望むが、技術的な能力を持ち合わせていないかもしれない。さらに、ユーザ、商人、流通業者、又は製造者は、ユーザの短距離無線ネットワークで動作する正しいソフトウェア又はそのソフトウェアバージョンを持っていないかもしれない。同様に、ソフトウェアの新バージョンが最近になってリリースされたばかりだと、購入された機器は旧バージョンのソフトウェアを格納したコンパクトディスクでやってきたりするので、ユーザは新バージョンを好んだり要求したりする。また、販売者、小売業者、又は製造者は、ユーザの短距離無線ネットワークの選択を認識していないかもしれない。
【０００５】
さらに、通信（テレコミュニケーション）オペレータは、収益があがるにつれて通信（テレコミュニケーション）ネットワークのユーザに対して付加価値や機能性を提供することに興味がある。
【０００６】
したがって、ユーザ、販売者、小売業者、又は製造者の介入が殆ど又は全くなく、短距離無線ネットワークにある機器に対して、ソフトウェア要素を容易且つ好都合に提供する方法、システム、及びコンピュータ読み出し可能な媒体を提供することが望まれている。
同様に、遠隔通信オペレータの収入があがるにつれて、無線機器に対して付加機能性や付加価値を提供することが望まれている。
【０００７】
（発明の概要）
方法、システム、及びコンピュータ読み出し可能な媒体は、本件発明の実施例によれば、機器情報（デバイス情報）に応答する短距離無線ネットワークにある機器（デバイス）に対してソフトウェア要素を提供する。
【０００８】
本件発明の実施例によれば、方法は、短距離無線ネットワークの機器からの機器情報を獲得するステップ、及び前記機器情報に反応して前記機器へソフトウェア要素をダウンロードするステップを含む。
【０００９】
本件発明の実施例によれば、前記獲得ステップは、短距離無線信号を発生するステップ、前記機器からセルラー機器への前記機器情報を有するステップ、及びセルラー信号を発生するステップ、前記セルラー機器から広域ネットワークにある処理機器への機器情報を有するステップとを更に含む。
【００１０】
本件発明の実施例によれば、ソフトウェア要素はユーザの選択に応じてダウンロードされる。本件発明の実施例によれば、ソフトウェア要素は日付に応じてダウンロードされる。
【００１１】
本件発明の実施例によれば、ソフトウェア要素は機器が購入される場所に応じてダウンロードされる。本件発明の実施例によれば、ソフトウェア要素はユーザの価格プランに応じてダウンロードされる。本件発明の実施例によれば、ソフトウェア要素はユーザの使用量に応じてダウンロードされる。本件発明の実施例によれば、ソフトウェア要素は機器の製造業者に応じてダウンロードされる。
【００１２】
本件発明の実施例によれば、機器はセルラー機器と通信するBluetoothTM機器である。本件発明の実施例によれば、機器はメッセージングターミナルである。本件発明の実施例によれば、ソフトウェア要素はインスタントメッセージングターミナルソフトウェア要素である。本件発明の実施例によれば、機器は、近隣無線プロセッサ及び、２.４ＧＨＺ又は５.７ＧＨＺ送信機を備えている。
【００１３】
本件発明の実施例によれば、機器は、デスクトップコンピュータ、ラップトップコンピュータ、携帯型情報端末（ＰＤＡ）、ヘッドホン、ページャー、プリンタ、時計、薄型ターミナル、デジタルカメラ、及びそれらの均等物から構成されるグループより選択される。本件発明の実施例によれば、短距離無線ネットワークがBluetoothTMネットワークである。
【００１４】
本件発明の実施例によれば、方法は、機器情報を含む短距離無線信号を機器からセルラー機器へ発生させるステップを含む。セルラー信号は、広域ネットワークにある機器を処理するために、前記機器情報を含むセルラー信号を前記セルラー機器から発生させる。ソフトウェア要素は、機器情報及びユーザ情報に応じて機器にダウンロードされる。
【００１５】
本件発明の実施例によれば、システムは、機器情報を含む短距離無線信号を発生させる機器を備える。セルラー機器は、短距離無線信号に応じて、前記機器情報を含むセルラー信号を発生させる。複数のソフトウェア要素を含むデータベースを備えた処理機器は、前記機器情報に応じて前記複数のソフトウェア要素における第１のソフトウェア要素を提供する。
【００１６】
本件発明の実施例によれば、データベースがユーザ嗜好を含み、且つ第１のソフトウェア要素が機器情報及びユーザ嗜好に応じてダウンロードされる。
コンピュータ読み出し可能な媒体を含む製造物は、短距離無線ネットワーク内の機器から、機器タイプ情報を含む短距離無線信号を受信する近隣無線ソフトウェア要素を含む。セルラーソフトウェア要素は、機器タイプ情報を含むセルラー信号をセルラーネットワークで発生させ、機器用のソフトウェア要素を受信する。
以下に示す図、発明の詳細な説明、及び請求の範囲から本発明の他の態様及び有利な点を理解できよう。
【００１７】
（発明の詳細な説明）
I.  システムの概要
本件発明の実施例によれば、図１ａに示すように、ソフトウェア要素を提供する方法、システム、及びコンピュータ読み出し可能な記録媒体に関する以下の記載及び請求の範囲は、短距離無線ネットワークからの機器情報及びユーザ情報に応答する。
本発明の実施例の場合、短距離無線ネットワーク１１６からの情報は、短距離無線ネットワーク１１６につながるＷＡＮ１０５の使用情報を含み、短距離無線ネットワーク１１６は通信（テレコミュニケーション）セルラーネットワークを含むことができる。本発明の実施例の場合、使用情報は、
（１）ＷＡＮ１０５にアクセスしたりアクセスされるべきＷＡＮ１０５を生じさせる機器のタイプ(例えば、セルラー電話１０６、ラップトップ１０７ｄ、ＰＤＡ１０７ｂ)、
（２）ＷＡＮ１０５にアクセスしたりアクセスされるべきＷＡＮ１０５を生じさせる機器のメーカー、
（３）ＷＡＮ１０５上で転送される（例えば、音声、画像、ビデオなどの）データのタイプ、
（４）ＷＡＮ１０５にアクセスしたりアクセスされるべきＷＡＮ１０５を生じさせる機器の時間間隔を、単独又は組み合わせて含む。
【００１８】
図１ｂに示すように、短距離無線ネットワーク１１６から獲得される情報に応じて、ソフトウェア要素が機器１０６及び／又はターミナル１０６に提供される。本発明の実施例の場合、ソフトウェア要素は、（１）機器及び／又はターミナルのタイプ、（２）機器及び／又はターミナルのメーカー、（３）機器及び／又はターミナルがどこで購入されたか、及び／又は（４）作動日、を含む機器情報に応じて提供される。
本発明の実施例の場合、ユーザ情報は、（１）ユーザの選択及び／又はプロフィール、（２）ユーザの価格計画、（３）ユーザ使用量、（４）販売計画、及び／又は（５）ユーザの交換計画、を含む機器情報に応じて提供される。本発明の実施例の場合、機器情報は、短距離無線ネットワーク１１６から獲得され、且つユーザ情報はサーバ１０１から獲得される。
【００１９】
本発明の実施例の場合、短距離無線ネットワーク１１６は、個人コンピュータ又はヘッドホンなどの比較的小さな物理的領域に及ぶ処理機器のネットワークであり、少なくとも１つの機器は、ネットワーク内の別の機器と通信するために短距離無線信号を発生し且つ受信する。本発明の実施例の場合、短距離無線信号は、およそ０と１０００フィートの間を行き来する。短距離無線ネットワークの例は、ブルートゥースTM、ＨｏｍｅＲＦ、802.11技術を単独又は組み合わせ、又はその均等物によって形成される機器のネットワークを含む。本発明の実施例の場合、短距離無線ネットワークにある各処理機器は、処理機器メモリに格納されるソフトウェア要素を実行する処理ユニットを自身で有しているだけでなく、短距離無線ネットワーク上のデータ及び機器にアクセスすることができる。
【００２０】
本発明の実施例の場合、有線、及び特にイーサネット（登録商標）は、短距離無線ネットワークにある２又はそれ以上の処理機器間の通信を提供する。代替の実施例において、電磁気信号は、短距離無線ネットワークにある１又はそれ以上の処理機器間の無線通信を提供する。さらに別の実施例において、有線及び電磁気信号の両方が、短距離無線ネットワークにある処理機器間の通信を提供する。
【００２１】
本発明の実施例の場合、ＷＡＮは、複数のＬＡＮ及び／又は比較的長距離でつながった短距離無線ネットワークを含む。電話線及び電磁気信号は単独又は組み合わせて、ＬＡＮ及び／又はＷＡＮ内の短距離無線ネットワークとつながる。本発明の実施例の場合、ＷＡＮ１０５は、セルラー信号１１１を発生し且つ受信するセルラーネットワークを含む。本発明の実施例の場合、セルラーネットワークは、地理的領域をセルと称する小区画に区分する通信システムとして定義される。本発明の相似形の実施例において、この区分けの目的は、制限された多数の伝送周波数以外で殆どが使用されるようにするためである。本発明の相似形の実施例において、各つながり、即ち、例えば通話は、それ自身の専用周波数を要求し、使用可能な周波数の総数は、約１０００である。１０００以上の同時通信をサポートするために、セルラーシステムが各セル用の周波数設定番号を割当てる。２つのセルは、互いにセルが隣接していない程度である異なる会話が同じ周波数を使用するようにすることができる。
【００２２】
図１ａは、本発明の実施例によるシステム１００を示す。システム１００は、他の機器、即ち無線機器１０６とつながったターミナル１０７を含む。本発明の実施例の場合、機器１０６及び１以上のターミナル１０７が通信して、短距離無線ネットワーク１１６を形成する。本発明の実施例の場合、ターミナル１０７は、短距離無線信号１１０によって機器１０６とつながり、短距離無線ネットワーク１１６を形成する。本発明の実施例の場合、ターミナル１０７の幾つか又は全てが有線接続されることができる。本発明の実施例の場合、ターミナル１０７は、時計１０７ａと、ＰＤＡ１０７ｂと、ヘッドホン１０７ｃと、ラップトップコンピュータ１０７ｄとを含む。本発明の実施例の場合、少しのターミナルが近所離無線ネットワーク１１６で使用される。
【００２３】
代替の実施例においては、ターミナル１０７は、デスクトップコンピュータ、ぺージャー（pager）、プリンタ、薄型ターミナル、メッセージングターミナル、デジタルカメラ、又はその均等物を含む。本発明の実施例の場合、ターミナル１０７は、ブルートゥースTM２.４ＧＨｚトランシーバーを含む。同様に、機器１０６はブルートゥースTM２.４ＧＨｚトランシーバーを含む。本発明の代替の実施例の場合、ブルートゥースTM５.７ＧＨｚトランシーバーが用いられる。本発明の実施例の場合、機器１０６及びターミナル１０７用のハードウェアが図３ａ−ｂに示されている。
【００２４】
本発明の代替の実施例の場合、802.11やＨｏｍｅＲＦ信号のような他のローカル無線技術が、機器１０６とターミナル１０６との間の通信に用いられる。
【００２５】
本発明の実施例の場合、ＷＡＮ１０５が機器１０６につながる。本発明の実施例の場合、ＷＡＮ１０５は、セルラー信号１１１を送受信するセルラーネットワークを含む。本発明の実施例の場合、セルラー信号１１１は、広域自動車通信システム（“ＧＳＭ”）などのプロトルを用いて伝送される。代替の実施例において、符号分割多元接続通信（“ＣＤＭＡ”）ＣＤＭＡ 2000、ユニバーサル移動電話システム（“ＵＭＴＳ”）、時分割多元接続通信（“ＴＤＭＡ”）又は汎用パケット無線システム（“ＧＰＲＳ”）プロトコル又はその均等が用いられる。
【００２６】
本発明の実施例の場合、ＷＡＮ１０５は、搬送バックボーン（基幹回線）１０４と、サーバ１０１−１０２と、インターネット１０３とを含む。本発明の実施例の場合、ＩＰパケットは、図１ａに示すような構成要素間で伝送される。本発明の代替の実施例において、他のタイプのパケットが図１ａに示すような構成要素間で伝送される。
【００２７】
本発明の実施例の場合、ＷＡＮ１０５は、バーチャルプライベートネットワーク（“ＶＰＮ”）を用いた共同セキュアネットワークなどのＩＰの公用又は個人ネットワークを含む。
【００２８】
本発明の代替の実施例において、機器１０６はイーサネット(登録商標)、ディジタル加入者線システム（“ＤＳＬ”）、又はケーブルモデム接続を、単独又は組み合わせることによって、ＷＡＮ１０５とつながる。
本発明の実施例の場合、機器１０６は、セルラーヘッドホン又は電話である。本発明の代替の実施例において、機器１０６は、セルラー可能なＰＤＡ、無線モデム、及び／又は無線ラップトップコンピュータである。
【００２９】
本発明の実施例の場合、ＷＡＮ１０５は、無線搬送内部ネットワーク又は搬送バックボーン１０４とつながる。本発明の実施例の場合、サーバ１０２が搬送バックボーン１０４とつながる。本発明の代替の実施例において、搬送バックボーン１０４がインターネット１０３とつながる。サーバ１０１がインターネット１０３につながる。本発明の実施例の場合、サーバ１０１、１０２は、ウエッブページ又はアプリケーションソフトウェア要素なその情報を、機器１０６を介してターミナル１０７に提供する。本発明の実施例の場合、ターミナル１０７は、機器１０６を介してサービス及び通信を共有する。
【００３０】
本発明の実施例の場合、サーバ１０１は、図６に示すように、レート（rate）計画ソフトウェア要素６０１と、アプリケーションサービスソフトウェア要素６０２と、メッセージ生成ソフトウェア要素６０３と、ユーザデータベース６０４と、販売促進計画生成ソフトウェア要素６０５と、価格計画生成ソフトウェア要素６０６と、送り状（インボイス）生成ソフトウェア要素６０７とを、単独又は組み合わせて含む。
【００３１】
本発明の実施例の場合、ユーザデータベース６０４は、短距離無線ネットワークのユーザに関する情報を含む。例えば、ユーザデータベース６０４は、使用量情報６１０ａ、ステータス情報６１１ａ、価格プラン６１２ａ、及び交換プラン６１３ａを、単独又は組み合わせて有するユーザ１２０用の記録を含む。
【００３２】
使用量情報６１０ａは、短距離無線ネットワーク１１６にいるユーザ１２０機器の通信（テレコミュニケーション）ＷＡＮ使用量を含む。例えば、使用量情報６１０ａは、ＰＤＡ１０７ｂが２００１年１１月２６日月曜日の午後３時４５分から３時４７分の間に２つの画像をｅメイルするために、機器１０６を経由してＷＡＮ１０５にアクセスしたことを記憶することができる。本発明の代替例において、使用量情報６１０ａは、（１）ユーザの短距離無線ネットワークで現在使用されている機器及び／又はターミナルのタイプ（タイプ）、（２）機器及び／又はターミナルの各メーカー（メーカー）、（３）各ソフトウェア要素及び現在使用されているバージョン（ソフトウェア）、（４）ユーザプロフィール又は嗜好、例えば、ユーザ１２０はＡＯＬユーザであり且つインスタントメッセージのためにＡＯＬクライアントを必要とする（嗜好）、を含む。
【００３３】
本発明の代替実施例において、機器又はターミナルがどこで（小売）又はいつ（日付）購入されたかが、使用量情報６１０ａに記憶される。本発明の実施例の場合、小売人、流通業者、及び／又は製造者は、電話及び／又はインターネットによって、機器及び／又はターミナルがいつどこで購入されたかをサーバに提供する。本発明の代替実施例において、機器がいつどこで購入されたか（作動したか）が、機器及び／又はターミナルによってサーバ１０１に提供される。例えば、機器及び／又はターミナルは、それらを販売する小売人を特定（即ち、固定）するシリアル番号とともに売られる。本発明の実施例の場合、そのシリアル番号及び作動時刻は、機器及び／又はターミナルから使用量情報６１０ａに伝送され、ユーザの短距離無線ネットワークの電源を投入し且つ設定する。
【００３４】
ステータス情報６１１ａは、短距離無線ネットワーク１１６にある、機器、ソフトウェア要素、及び電源のステータス即ち健全性を含む。例えば、ステータス情報６１１ａは、ＰＤＡ１０７ｂが交換されるべきバッテリーであることを示すことができる。或いはまた、ステータス情報６１１ａは、セルラーモデム１０６が交換されるべきであることを示すことができる。同様に、本発明の実施例の場合、ステータス情報６１１ａは、セルラー機器１０６がオペレーティングシステムの更新を要することを示すことができる。
【００３５】
価格プラン６１２ａは、ユーザ１２０用の価格プランを含む。例えば、ユーザ１２０は、ＷＡＮ１０５上で短距離無線ネットワーク１１６に、午後８時から午前６時の間は１ファイルあたり２ドルで、そして午前６時から午後８時の間は１ファイルあたり１０ドルで、ＭＰ３音楽ファイルをダウンロードすることができるようにする通信（テレコミュニケーション）オペレータ１２１と接続する。このような価格プランは、ユーザがＷＡＮ１０５のピーク使用時を避けて巨大ファイルをダウンロードすることを促し、また通信（テレコミュニケーション）オペレータ１２１が収入増を行えるようにする。また、ユーザは、時間にうるさくない音楽ファイルなどのデータを経済的な方法で取得するといった利便性がある。また、本発明の実施例の場合、価格プラン６１２ａは、特定のタイプの機器及び／又はデータタイプの使用量を制限する定期的な最大料金を含む。
【００３６】
また、本発明の実施例の場合、価格プラン６１２ａは、ユーザがオプションを選択したり購入したり、ソフトウェア要素を機器１０６及び／又はターミナル１０７にダウンロードしたかどうかの情報を含む。例えば、ユーザがある最小閾値を超えた使用料を有する場合、通信（テレコミュニケーション）オペレータ１２１は、セルラー信号１１１の方法によって、短距離無線ネットワーク１１６内の機器又はターミナルに対するリングトーン又はメッセージングターミナルクライアント等の無料のソフトウェア要素を提供する。同様に、通信（テレコミュニケーション）オペレータ１２１は、ユーザによって特定の販売者又は小売業者から購入し得る新たな機器１０６及び／又はターミナル１０７にソフトウェア要素を提供する。
【００３７】
本発明の更に別の実施例において、通信オペレータ１２１は、所定の宣伝期間に機器１０６及び／又はターミナル１０７に対してソフトウェア要素を提供する。例えば、ユーザが所定の宣伝期間に新たなヘッドホン１０７ｃを購入する場合、通信オペレータ１２１は、ヘッドホン１０７ｃに必要なソフトウェア要素を提供し、短距離無線ネットワーク１１６で扱う。本発明の実施例の場合、通信オペレータによって提供されるヘッドホン１０７ｃ用のソフトウェア要素は、ヘッドホン１０７ｃを提供するソフトウェアよりとても優れている。他のタイプの機器又は製造業者、データ、及び／又は期間のために他の同様な価格プランを使用することができ、通信オペレータ１２１の収入を増やすとともに顧客に付加価値のあるサービスを提供する。
【００３８】
交換プラン６１３ａはユーザ１２０用の交換プランを含む。例えば、短距離無線ネットワーク１１６にある機器又はターミナルのバッテリーがなくなったり、なくなりかけているときに、ユーザ１２０は通信オペレータ１２１又は別のサードパーティと連絡をとり、交換バッテリーを供給する。交換プラン６１３ａは、ユーザ１２０が提供されるべき交換バッテリー、交換機器、及び／又はソフトウェア要素を望んでいるかどうかを示す。本発明の実施例の場合、バッテリーが無くなるか無くなり方が顕著になったとき、ユーザ１２０に対して交換バッテリーを郵送で知らせる。通信オペレータ１２１はバッテリーを販売することによって付加的な収入を生成し、そしてユーザ１２０は（１）バッテリーが交換されるべきかを決定すること、及び（２）交換バッテリーの買ってくることを行わない付加価値サービスを得る。同様に、欠陥のあるソフトウェア要素や旧式のソフトウェア要素を交換するために、ソフトウェア要素を提供することができる。
【００３９】
本発明の別の実施例では、交換プラン６１３ａは、ユーザ１２０がリングトーン、ゲーム、又は新たにリリースされたバージョンのソフトウェア要素などの交換ソフトウェア要素を望んでいるかどうかを示す。本発明の実施例の場合、定期的に行うことをベースにして新たなソフトウェア要素がリリースされたとき、及び／又はさらにユーザによる要求があったときに、交換ソフトウェア要素が提供される。
【００４０】
本発明の実施例の場合、レート計画ソフトウェア要素６０１は、ＷＡＮ１０５をアクセスしたりアクセスを引き起こしたりする機器タイプによるＷＡＮ１０５用のアクセスレート計画、機器の製造業者、ＷＡＮ１０５に転送されたデータのタイプ、及びＷＡＮ１０５をアクセスする期間を格納する。例えば、通信オペレータ１２１は、午後６時と８時の間の音声呼出しのために、１分あたり0.25ドルの支払いを請求し、短距離無線ネットワーク１１６内のＤＥＬＬTMのラップトップから２メガバイトのファイルを深夜転送するのに１ドルを請求する。製造業者は、通信使用量に対する奨励金を支払うことによって彼らの製品を購入するような例の場合、ユーザはＣｏｍｐａｑTMのラップトップから２メガバイトのファイルを日中の任意な時に転送するのに１.５ドルを請求され、そのときは同じユーザは、別の製造業者のラップトップを使用するときよりも多く請求されている。本発明の別の実施例において、ユーザは使用するソフトウェアアプリケーションに応じて異なる請求をされる。例えば、ｅメイルを送信するｅメイルアプリケーションプログラムを使用する第１のレートを、そしてＭＰ３の音楽ファイルをダウンロードするＭＰ３アプリケーションソフトウェアプログラムを使用する第２のレートをユーザに請求することができる。
【００４１】
本発明の実施例の場合、送り状（インボイス）生成ソフトウェア要素６０７は、ユーザ１２０用の送り状１２３を生成する。本発明の実施例の場合、図１ｂに示すように、送り状１２３はプリンタ１２２で印刷され、そしてユーザ１２０に郵送される。本発明の代替実施例において、送り状１２３はユーザ１２０に対してｅメイルされる。送り状（インボイス）生成ソフトウェア要素６０７は、ユーザデータベース６０４、そして特に送り状１２３を生成する場合には、ユーザの使用量情報６１０ａ及び価格プラン６１２ａにアクセスする。本発明の実施例の場合、送り状生成ソフトウェア要素は、使用量時間が価格プランの最大範囲内で請求されているかどうかを判断する。代替の実施例の場合、送り状（インボイス）生成ソフトウェア要素６０７は、使用量情報６１０ａにおける使用回数によって扱われる適切なレートを得て、送り状１２３の定期的な総請求額を得るために、レート計画ソフトウェア要素６０１にアクセスする。
【００４２】
販売促進プラン生成ソフトウェア要素６０５は、ユーザ１２０又は他に可能性のあるユーザ用の販売促進プランを生成する。販売促進プラン生成ソフトウェア要素６０５は、ユーザへは価値及びオペレータ１２１へは付加的な収入を提供するプランを定義するために、ユーザデータベース６０４にある情報を解析する。例えば、販売促進プラン生成ソフトウェア要素６０５は、ユーザが最大ＷＡＮロード回数の間にＭＰ３ファイルをダウンロードすることを判断し、そして出力された信号によってそのダウンロードを成功させることができる。オペレータ１２１は、最大ＷＡＮロード回数の間に、割り引いたレートでＭＰ３ファイルをダウンロードするこれら選択されたユーザに対して提供すべき販売促進プランを生成することができる。オペレータ１２１は、最大回数でない間に付加的な収益を生成することができるとともに、ユーザ１２０が削減レートを受信することができる。
【００４３】
他の販売促進プランは、特別の製造業者を有する機器の購入者に対して無料のアクセス時間を提供する。ヘッドホン１０７ｃの製造業者は、100分の無料ＷＡＮ１０５アクセスを提供することによってヘッドホンの販売を促進を希望するかもしれない。販売促進プラン生成ソフトウェア要素６０５は、ユーザデータベース６０４に存在するユーザがその特別に製造されたヘッドホンを購入しているかを判断し、そして無料100分を反映するために価格プラン６１２ａを調整する。
【００４４】
同様に、オペレータ１２１は、使用量情報６１０ａに基づいてユーザ１２０に無料又は割引いた機器を提供することができる。使用量情報６１０ａは、ユーザが短距離無線ネットワーク１１６に存在するＰＤＡを保有していないが、セルラー電話を積極的に使用することを示す。無料又は割引かれたＰＤＡはユーザ１２０へ価値を提供し、また新たなＰＤＡでＷＡＮ１０５をアクセスするユーザ１２０によるオペレータ１２１にとっての増加収益の機会を提供する。このように、ユーザデータベース６０４に存在するユーザが頻繁にＰＤＡを使用する傾向があることをオペレータ１２１が知る場合には、オペレータ１２１及びユーザ１２０の両方は、増加収益及び無料ＰＤＡのそれぞれによって利益がある。
【００４５】
価格プラン生成ソフトウェア要素６０６は、ユーザデータベース６０４の情報に基づいてユーザ１２０用の価格プランを生成する。例えば、価格プラン生成ソフトウェア要素６０６は、使用量情報６１０ａと交換プラン６１３ａを比較し、ユーザ１２０が付加サービスを得ることができるかどうかを判断する価格プランをだす。例えば、ユーザ１２０がＷＡＮ１０５で大量のアクセスを使用するが、交換プランを有していない場合に、価格プラン生成ソフトウェア要素は、使用回数で最大請求の価格プランを生成して、ユーザ１２０がバッテリー交換プランに入会する場合は、ユーザの請求を値引く。本発明の実施例の場合、ユーザ１２０に新たな価格プランを郵送したりｅメイルしたりすることができる。本発明の実施例の場合、販売促進プラン生成ソフトウェア要素６０５は、販売促進にかかわる小売業者のリスト、及び／又は販売促進期間（宣伝時間）を格納する。
【００４６】
本発明の実施例の場合、アプリケーションサービスソフトウェア要素６０２は、ターミナル１０７における目標ターミナルに直接ダウンロードすることができるソフトウェア要素を含む。したがって、ユーザ１２０は、通信（テレコミュニケーション）オペレータサービス部門、又は他のサードパーティベンダーに出向き、付加サービスを得るためにターミナルにソフトウェアをロードする必要がない。例えば、ユーザ１２０は、短距離無線ネットワーク１１６において、ＳｏｎｙTMによって製造されたＭＰ３ヘッドホン、及びPanasonicTMによって製造された別のＭＰ３ヘッドホンを有する。短距離無線ネットワーク１１６から得られた情報に基づいて、通信オペレータ１２１又は他のサードパーティは、（１）ウエッブサイトからＭＰ３のダウンロードを無料で行うことができるＳｏｎｙTMヘッドホンに対するアプリケーションソフトウェア要素、そして（２）特別の効果を奏するPanasonicTMヘッドホンに対するアプリケーションソフトウェア要素、をダウンロードする。短距離無線ネットワーク１１６において、製造業者及びタイプなどのターミナルに関する情報を最初に得ることなく、目標ターミナル又はターミナルに対してソフトウェアアプリケーション要素をダウンロードすることができなかった。
【００４７】
メッセージ生成ソフトウェア要素６０３は、短距離無線ネットワーク１１６、そして特に機器１０６又はターミナル１０７に対するメッセージを生成する。本発明の実施例の場合、メッセージは特定の機器がＷＡＮ１０５にアクセスできないようにするソフトウェアを含むことができる。代替の実施例において、メッセージ生成ソフトウェア要素６０３は、オペレータ１２１に対する販売促進プラン生成ソフトウェア要素６０５及び／又はプラン生成ソフトウェア要素６０６の結果を生成する。これらの結果に基づき、オペレータ１２１は、レート計画ソフトウェア要素６０１におけるレートを変更することができる。本発明の代替実施例において、メッセージ生成ソフトウェア要素６０３は、サードパーティに対するメッセージを生成して、交換機器、ソフトウェア要素、又はバッテリーをユーザ１２０へ提供する。
【００４８】
本発明の実施例の場合、サーバ１０１は、機器１０６に対するＷＡＮ１０５で送られるメッセージを生成し、短距離無線ネットワーク１１６から情報を得る。本発明の実施例の場合、そのメッセージはインターネット/プロトコル（ＩＰ）メッセージである。本発明の実施例の場合、短距離無線ネットワーク１１６からの情報は、データがＷＡＮ１０５上で単独又は組合せで転送されるときに、ＷＡＮ１０５にアクセスするターミナル製造業者を含むターミナルタイプ、ＷＡＮ１０５で転送されるデータタイプ、及び期間を含む。
【００４９】
本発明の実施例の場合、ユーザの入力に応じて当該情報が送信される。本発明の代替実施例において、前記情報は、機器１０６から又は機器１０６にBluetoothTMメッセージを生成するターミナル１０７から定期的に生成され、その後、機器１０６はＷＡＮ１０５へのセルラー信号１１１を発生させる。本発明の実施例の場合、機器１０６は、機器タイプ短距離無線ネットワーク１１６にあるターミナル１０７のモデル及び製造業者などの機器情報を格納する。本発明の実施例の場合、機器１０６は、ＷＡＮ１０５にアクセスする様々なターミナル１０７の使用量を収集し且つ記録する。次に、この記録された情報及及び／又は機器情報は、メッセージ要求メ又はユーザ入力に応じて定期的にサーバ１０１へ転送される。
【００５０】
搬送バックボーン１０４とつながったサーバ１０２は、前述したソフトウェア要素と同様なものを有し、本発明の代替実施例においてインターネット１０３をバイパスする。
【００５１】
II．手持ち機器／ターミナルのハードウェア
図２は、ターミナル１０７及び機器１０６の例を示している。本発明の実施例の場合、（１）スマートターミナルと（２）薄型ターミナルの２タイプがある。本発明の代替例において、スマートターミナルはユーザのロジック及びアプリケーションを実行する。スマートターミナルは比較的パワーのある処理ユニット、オペレーティングシステム、及びアプリケーションを備える。短距離無線ネットワーク１１６からの主な要求は、記憶及び実行などのＴＣＰ／ＩＰを介したＷＡＮ１０５へのアクセスである。例えば、ラップトップコンピュータ１０７ｄ及びＰＤＡ１０７ｂは、スマートターミナルである。薄型ターミナルは、比較的低パワーのある処理ユニット、オペレーティングシステムを備える。それらは主に、短距離無線ネットワーク１１６内のアプリケーションサーバの周辺機器として使用され、主なタスクはユーザとの相互作用、出力結果をユーザに表示、及びユーザ入力をアプリケーションサーバに提供することである。例えば、時計１０７ａ又はメッセージングターミナルは薄型ターミナルとなり得る。
【００５２】
図２は、薄型ターミナルを示している。音声ターミナル２０４は、デイスプレイ２０４ｂ及び格納式キーパッド２０４ａを含む。メッセージングターミナル２０３は、ターミナル２０３の開閉に使用するヒンジ(hinge)２０３ａによって閉じた状態を示している。ターミナル２０３は、開けたときに小型ＱＷＥＲＴＹキーボードとを含んでいる。
本発明の実施例の場合、機器２０１はセルラーモデムであり、ベルト用のクリップ２０２を備える。
【００５３】
図３ａは、本発明の実施例における機器１０６のハードウェアブロック図を示している。機器１０６は、内部及び着脱可能なメモリの両方を備える。特に、機器１０６は、内部ＦＬＡＳＨ（即ち、電気的にプログラム消去可能な読み出し専用メモリ（ＥＥＰＲＯＭ）と、スタティック・ランダム・アクセス・メモリ（ＳＲＡＭ）３０２,３０３を、それぞれ備える。また、本発明の実施例の場合、着脱可能なＦＬＡＳＨメモリ３０４が使用される。メモリ３０２,３０３,３０４はバス３０５につながる。本発明の実施例の場合、バス３０５は、アドレス及びデータバスである。アプリケーションプロセッサ３０１は、同じようにバス３０５につながる。本発明の実施例の場合、プロセッサ３０１は３２ビットプロセッサである。
【００５４】
BluetoothTMプロセッサ３０７がバス３０５とつながる。BluetoothTMＲＦ回路３０９は、BluetoothTMプロセッサ３０７及びアンテナ３１３につながる。プロセッサ３０７、ＲＦ回路３０９、及びアンテナ３１３は、図１ａに示すようなターミナル１０７、又は図３ｂに示すような機器３５０との間で短距離無線信号を送受信する。
【００５５】
ＧＳＭなどのセルラー信号は、デジタル回路３０６、アナログ回路３０８、送信機３１０、受信機３１１、及びアンテナ３１２を使って送受信される。デジタル回路３０６はバス３０５とつながる。代替の実施例において、機器１０６は、ディスプレイ、スピーカー、マイクロフォン、キーパッド、及びタッチスクリーンを単独又は組み合わせて備える。
【００５６】
図３ｂは、本発明の実施例における手持ち機器である機器３０５を示している。本発明の実施例の場合、機器３５０は図１ａに示したターミナル１０７の１つである。機器１０６、機器３５０は、同じようにＳＲＡＭ及びＦＬＡＳＨメモリ３５１,３５２をそれぞれ含む。メモリ３５１,３５２は、バス３５７とつながる。本発明の実施例の場合、バス３５７は、アドレス及びデータである。キーパッド３５３はバス３５７とつながる。短距離無線信号は、BluetoothTMプロセッサ３５４及びBluetoothTMＲＦ回路３５５を使って送受信される。アンテナ３５６はBluetoothTMＲＦ回路３５５とつながる。本発明の実施例の場合、アンテナ３５６は短距離無線信号を送受信する。代替の実施例では、機器３５０は、デイスプレイ、スピーカー、マイクロフォン、キーパッド、及びタッチスクリーンを単独又は組み合わせて備える。当業者であれば理解されるように、本発明の代替例では機器３５０のために他のハードウェア要素が提供されるだろう。例えば、機器３５０がラップトップコンピュータ１０７ｄであるような実施例では、ディスクドライブ及び他の入出力要素が用いられる。
【００５７】
III．ソフトウェア
図４は、本発明の実施例による図３ａに示した機器１０６のソフトウェア構成５００である。本発明の実施例の場合、ソフトウェア５００は機器１０６のＦＬＡＳＨメモリ３０２に格納される。本発明の代替例では、ソフトウェア要素４１４,４１５,４１６がターミナル群１０７の１つにおけるＦＬＡＳＨメモリ３５３に格納される。本発明の実施例の場合、図４で引用されるソフトウェア要素は、ソフトウェアプログラム、ソフトウェアオブジェクト、ソフトウェアファンクション、ソフトウェアサブルーチン、ソフトウェアメソッド、ソフトウェアインスタンス、及びコード断片を単独又は組み合わせて示している。代替の実施例において、図４に示されたソフトウェア要素によって実行されるファンクションは、ハードウェアによって完全に又は一部で実現される。
【００５８】
本発明の実施例の場合、ソフトウェア５００、即ちソフトウェア５００の要素は、コンピュータ読み出し可能な媒体などの製造物に記憶される。例えば、ソフトウェア５００は、磁気ハードディスク、光ディスク、フロッピー(登録商標)ディスク、ＣＤ−ＲＯＭ（コンパクトディスク読み出し専用メモリ）、ＲＡＭ（ランダムアクセスメモリ）、ＲＯＭ（読み出し専用メモリ）、又は他の読み出し可能、書き込み可能なデータ格納技術と単独又は組み合わせて記憶される。さらに別の実施例では、ソフトウェア５００、即ちその要素は、図１ａに示したようなサーバ１０２からダウンロードされる。
【００５９】
ソフトウェア５００は、データ通信ソフトウェア又は物理層プロトコルスタック、特にセルラー通信ソフトウェア４０３及び短距離無線通信ソフトウェア４０２を含む。一実施例において、セルラー通信ソフトウェア４０３は、プロセッサ３０６を使用したＧＰＲＳベースバンドソフトウェア要素であり、セルラー信号を送受信する。一実施例において、短距離無線通信ソフトウェア４０２は、プロセッサ３０７を使用したBluetoothTMベースバンドソフトウェア要素であり、短距離無線信号を送受信する。他のベースバンド４０１によって示されるような他のデータ通信ソフトウェアを使用することができる。
【００６０】
本発明の実施例の場合、オペレーティングシステム（ＯＳ）４０５がデータ通信ソフトウェア４０２,４０３と通信するために用いられる。本発明の実施例の場合、オペレーティングシステム４０５はリナックスオペレーティングシステム、英国のロンドンのSymbianソフトウェアによるＥＰＯＣオペレーティングシステム、WashingtonのRedmondにあるマイクロソフト(登録商標)によるPocketPC又はStingerオペレーティングシステム、AlabamaのMobileにあるAccelerate Technology会社によるNucleusオペレーティングシステムである。オペレーティングシステム４０５はハードウェアを管理し、機器のソフトウェア要素のための計算領域を確保する。
【００６１】
メディア抽象層４０４は、オペレーティングシステム４０５がベースバンド４０３,４０２,４０１とそれぞれ通信できるようにする。ここで示すメディア抽象層４０４及び他の抽象層は、ＧＰＲＳなどの特定の通信プロトコルを、機器及び／又はターミナルによって使用される標準コマンド体系に変換する。抽象層ために、物理的スタックを機器の残りのソフトウェア要素から切離している。これは、上部の任意のソフトウェア層を変更することなく、異なる物理スタックの将来の使用ができるようにし、機器のソフトウェアがどんな通信プロトコルともうまくいくようにする。
【００６２】
通信の使用量ソフトウェア要素４１４及び機器ステータスソフトウェア要素４１５は、本発明の実施例によってソフトウェア要素を提供するために、短距離無線ネットワーク１１６からの情報を提供するために用いられる。本発明の代替実施例では、ソフトウェア要素４１４,４１５は、多くのソフトウェア要素と組み合わせられたり、及び／又は一部となったりする。前述したように、本発明の実施例の場合、アプリケーションサービスソフトウェア要素４１６は、サーバ１０１から機器１０６又はターミナル１０７へロードされる。本発明の実施例の場合、ソフトウェア要素４１４,４１５は、機器１０６又はターミナル１０７における単一のターミナル若しくはその組合せである。
【００６３】
本発明の実施例の場合、通信の使用量ソフトウェア４１４は、機器１０６及びターミナル１０７によってＷＡＮ１０５の使用量のトラックを維持する。通信の使用量ソフトウェア４１４は、短距離無線ネットワーク１１６内の機器又はターミナルがＷＡＮ１０５に要求したアクセス、転送されたデータのタイプ及び期間を格納する。このトラックされた使用量情報は、次に、サーバ１０１のユーザデータベース６０４、特に使用量情報６１０ａに転送される。
【００６４】
本発明の実施例の場合、機器ステータスソフトウェア要素４１５は、（ターミナル１０７を含む）機器のトラック、又は無くなったり又は無くなりかけている短距離無線ネットワーク１１６内のバッテリーを維持する。このステータス情報は、次に、サーバ１０１内のユーザデータベース６０４、特にステータス情報６１１ａに転送される。
【００６５】
本発明の実施例の場合、通信の使用量ソフトウェア要素４１４、機器ステータスソフトウェア要素４１５、オペレーティングシステム４０５、及びBluetoothTMベースバンドソフトウェア要素４０２は、使用量及びステータス情報を含む短距離無線信号１１０を送受信するために使用される。
なお、グラフィカルユーザインタフェース（ＧＵＩ）４１７がユーザフレンドリーなインタフェースができるようにするために提供される。
【００６６】
図５ａ-ｆは、本発明の実施例による短距離無線ネットワーク１１６からの情報に応じてソフトウェア要素を提供する方法を示したものである。一実施例において、その方法は図４及び６に示したソフトウェア要素によって、一部又は完全に実行される。本発明の実施例の場合、図５ａ-ｆに示した処理枠又はステップは、ソフトウェアプログラム、ソフトウェアオブジェクト、ソフトウェアファンクション、ソフトウェアサブルーチン、ソフトウェアメソッド、ソフトウェアインスタンス、コード断片などのソフトウェア要素を単独又は組み合わせて実行することをあらわしている。本発明の代替実施例において、処理枠又はステップは、ソフトウェア要素、ハードウェア操作、又はユーザ操作を単独又は組み合わせて実行することをあらわしている。本発明の代替実施例では、図５ａ-ｆに示した方法よりも少ない又は多くの処理枠又はステップが実行される。
【００６７】
図５ａは、本発明の実施例による方法５００ａを示している。処理枠５１０ａで示すように、短距離無線ネットワーク１１６からの情報が得られる。前述したように、その情報はＷＡＮ使用量情報、及び/又は機器１０６及びターミナル１０７のステータス情報である。次に、処理枠５０２ａで示すように、ビジネス決定が行われる。前述したように、本発明の実施例の場合、ビジネス決定は、ソフトウェア要素をユーザに提供する。代替実施例では、オブジェクトが提供されない。
【００６８】
図５ｂは、本発明の実施例による方法５００ｂを示している。方法５００ａ及び処理枠５０１で示すように、情報が得られる。処理枠５０２でなされるビジネス決定は、ユーザデータベース６０４などのユーザ情報が利用可能か否かである。ユーザ情報が利用可能である場合、ロジックは処理枠５０３へ移行し、そうでなければ制御は処理枠５０４へ行く。処理枠５０３で、使用量情報６１０ａ及び／又はステータス情報６１１ａなどのユーザ情報が得られる。処理枠５０４でなされる決定は、ソフトウェア要素などのオブジェクトがユーザに提供されるか否かである。オブジェクトが提供される場合、制御は、オブジェクトがユーザに提供される処理枠５０５へ移行し、そうでなければ方法５００ｂは終了する。
【００６９】
図５ｃ-ｆにおける方法５０５ｃ-ｆは、それぞれ、図５ｂの処理枠５０５で示されるように、ソフトウェア要素などのオブジェクトをユーザに提供することを示している。当業者であれば、本発明の範囲においてユーザにオブジェクトを提供する非常に多数の他の方法があることが理解されよう。
【００７０】
図５ｃに示される方法５０５ｃは、短距離無線ネットワーク１１６からの情報に応じてユーザ１２０へ送り状１２３を提供することが示されている。本発明の実施例の場合、その情報は、機器１０６及びターミナル１０７の使用量情報を格納している機器１０６から得られる。
【００７１】
処理枠５１０で示されるように、価格プランは、ユーザデータベース６０４などのユーザ情報から得られる。ＷＡＮ１０５などのデータ通信ネットワークを使って、機器のタイプ、機器の製造業者、使用量期間、及びデータ通信ネットワークに転送されるデータのタイプが、処理枠５１１−５１４で決定される。本発明の実施例の場合、この情報は、機器１０６から得られた後の使用量情報６１０ａに格納される。処理枠５１５に示すように、各使用量の発生に関する請求金額が決定される。本発明の実施例の場合、価格プラン及びレート計画ソフトウェア要素６０１におけるレート計画が、送り状１２３に関する請求を計算するために用いられる。
【００７２】
処理枠５１６に示すように送り状１２３が印刷され、そして処理枠５１７に示されるように送り状１２３がユーザ１２０に提供される。
【００７３】
図５ｄに示される方法５０５ｄは、短距離無線ネットワーク１１６からの情報に応じて、交換機器、ソフトウェア要素、又は交換バッテリーをユーザ１２０に提供することを示している。交換機器、ソフトウェア要素、又は交換バッテリーが必要であるか否かの判断を処理枠５２０で行う。本発明の実施例の場合、機器、ソフトウェア要素、又はバッテリーを交換することが必要かどうかを判断するためにステータス情報６１０ａがクエリーされる。次に、ユーザ１２０が交換サービスに同意したり入会したか否かを判断するために、交換プラン６１３ａがクエリーされる。ユーザ１２０が交換サービスに入会をした場合、交換機器、ソフトウェア要素、又は交換バッテリーは、処理枠５２１及び５２２に示されるようにパッケージされ且つ郵送されるか、短距離無線ネットワーク１１６内の機器及び/又はターミナルへ交換ソフトウェア要素として提供される。本発明の代替実施例では、製造業者、交換機器の販売者若しくは小売業者、ソフトウェア要素、及び交換バッテリーは、処理枠５２１及び５２２をそれぞれ実行する。同様に、処理枠５２０は、オペレータ１２１から、製造業者、交換機器の販売者若しくは小売業者、ソフトウェア要素、及び交換バッテリーへの情報を生成し、交換機器及び/又はバッテリーをユーザ１２０へ提供する。
【００７４】
図５ｅに示す方法５００ｅは、ユーザ１２０又は可能性のあるユーザに価格プラン１５２を提供することを示している。処理枠５５０に示すように、使用量情報が得られる。本発明の実施例の場合、使用量情報がユーザデータベース６４０の使用量情報６１０ａから得られる。次に、処理枠５５１に示すように、価格プラン１５２が計算される。例えば、ユーザ１２０がセルラー電話１０６を単に使用して、ＰＤＡ１０７ｂから多量のeメイルを生成する場合、処理枠５５２に示すように、ＰＤＡ１０７ｂからのeメイルの請求及びセルラー電話１０６の音声使用量に関する分による請求に上限を設ける価格プランが計算され、そしてユーザ１２０に提供されるだろう。本発明の実施例の場合、価格プラン１５２は、ユーザ１２０又は可能性のあるユーザに対して、手渡しされたり、言葉で表現されたり、ｅメイルされたり、又は郵送されたりすることができる。同様に、宣伝販売プラン１５１が提供される。
【００７５】
図５ｆに示す方法５００ｆは、短距離無線ネットワーク１１６に対してサービスを付加するソフトウェア要素４１６をダウンロードすることを示している。処理枠５６０に示すように、ユーザが付加サービスを要求しているか否かの判断が行われる。本発明の実施例の場合、ユーザ１２０は、オペレータ１２１へ郵便、ｅメイル、又は電話をして、そのサービスを要求する。処理枠５６１に示すように、アプリケーションサービスソフトウェア４１６がアプリケーションサービスソフトウェア要素６０２によってサーバ１０１からダウンロードされる。
【００７６】
図５ｇ-ｈに示す方法５００ｇは、短距離無線ネットワーク１１６に対してソフトウェア要素４１６をダウンロードすることを示している。処理枠５７０に示すように、新たなターミナル及び/又は機器が活性化されたか否かの判断が行われる。本発明の実施例の場合、新たに活性化された機器／ターミナルは、短距離無線信号を機器１０６へ発生させる。本発明の実施例の場合、短距離無線信号は、機器タイプ、その機器が購入された製造業者、及び/又は現在日付などの機器情報を含む。処理枠５７１及び５７２によって、機器タイプ及び機器の製造業者を得ることが示される。本発明の実施例の場合、機器情報は、機器１０６からＷＡＮ１０５へのセルラー信号において、特にサー菜１０１において、機器情報を含むメッセージを生成することによって得られる。本発明の代替実施例では、機器情報は、機器１０６のメモリに記憶された機器情報を検索することによって得られる。
【００７７】
処理枠５７３に示すように、ユーザの嗜好（選択）が得られる。本発明の実施例の場合、ユーザ嗜好は、短距離無線ネットワーク１１６に関連するユーザレコード１２０からユーザ嗜好を検索することによって得られる。特に、ＡＯＬユーザであるなどのユーザ嗜好は、使用量情報６１０ａから検索される。処理枠５７４に示すように、機器タイプに基づいて、機器の製造業者及び/又はユーザ嗜好、適切なソフトウェア要素がアプリケーションサービスソフトウェア６０２から機器１０６へ、そして最後には新たに活性化された機器／ターミナルへダウンロードされる。本発明の代替実施例では、アプリケーションサービスソフトウェア６０２が、機器１０６のみにダウンロードされる。
【００７８】
処理枠５７５に示すように、ソフトウェア要素を交換するか否かの判断が行われる。ソフトウェア要素を交換する場合、方法５００ｇが処理枠５８０へ移行する。そうでなければ、方法５００ｇは処理枠５８３へ移行する。本発明の実施例の場合、アプリケーションサービスソフトウェア６０２がユーザレコード１２０、特に、処理枠５８０に示すように、ユーザがソフトウェア要素交換プランを有しているかを判断するために、交換プラン６１３ａにアクセスする。次に、処理枠５８１に示すように、アプリケーションソフトウェア要素６０２は、新たにリリースされたソフトウェア要素のリストによって、存在するソフトウェア要素が交換を必要としているか否かを判断するために、短距離無線ネットワーク１１６にある使用量情報６１０ａから存在するソフトウェア要素を比較する。
【００７９】
次に、前述したようにまた処理枠５８２に示すように、所定のソフトウェア要素がダウンロードされる。例えば、ユーザが月ベースでＰＤＡ１０７ｂ用の新たなソフトウェアゲームに入会した場合、アプリケーションソフトウェア要素６０２は、これまでのソフトウェアゲームを新たに交換したり、又は以前不使用であったソフトウェアゲームを月ごとに交換する。
【００８０】
処理枠５８３に示すように、ソフトウェア要素に関連する販売促進プランが実施中であるか否かの判断が行われる。例えば、上級の又は付加的なソフトウェア要素が、設定された販売促進期間の間に購入され且つ活性化された新規機器に追加される。同様に、上級の又は付加的なソフトウェア要素が、関与している販売促進小売業者から購入した機器に追加される。前述したようにまた処理枠５８４に示すように、短距離無線ネットワークに最近入った機器／ターミナルに関する活性日が得られる。同様に、前述したようにまた処理枠５８５に示すように、機器／ターミナルが購入された場所が得られる。本発明の実施例の場合、ユーザは使用量に基づいて、割引かれた又は無料のソフトウェア要素を得ることができる。例えば、ユーザがＷＡＮ１０５にアクセスする最小の分を超えた場合、ユーザは無料のリングトーンをダウンロードすることができる。本発明の実施例の場合、処理枠５８６に示すように、ユーザの価格プラン６１２ａがアクセスされ且つ使用量情報６１０ａと比較され、無料又は割引いたソフトウェア要素がダウンロードされるべきか否かを判断する。
【００８１】
本発明の実施例の場合、処理枠５８６に示すように、販売促進期間及び/又は関与している販売促進小売業者は、販売促進プラン生成６０５からアクセス及び比較され、そして販売促進ソフトウェア要素がダウンロードされるべきか否かを判断するために機器情報を得る。次に、前述したようにまた処理枠５８７に示すように、販売促進ソフトウェア要素がダウンロードされる。そして、方法５００ｇが終了する。
【００８２】
IV．結論
本発明の望ましい実施例で述べてきた記載は、説明及び図のために提供されるものである。本発明が開示された内容に厳密に制限されたり徹底化されたりする意図はない。明らかに、当業者であれば多くの修正及び変形がなされることは明白である。本発明の原理及びその実際の例を説明するために実施例が選択され且つ示されたのであって、これによって、特定の使用に沿うように当業者は様々な実施例及び様々な修正を施した本発明を理解することができる。本発明の範囲は特許請求の範囲及びその均等によって定義されることに留意されたい。
【図面の簡単な説明】
【００８３】
【図１ａ−ｂ】本発明の実施例によるシステムを示す図である。
【図２】本発明の実施例による薄型ターミナル及び無線機器を示す図である。
【図３ａ−ｂ】本発明の実施例によるハードウェアブロック図である。
【図４】本発明の実施例による短距離無線ネットワークからの情報を提供するソフトウェアブロック構成図である。
【図５ａ−ｈ】本発明の実施例による短距離無線ネットワークからの機器情報に応じてソフトウェア要素を提供することを示すフローチャートである。
【図６】本発明の実施例によるサーバ１０１のソフトウェアブロック構成図である。